(57)【特許請求の範囲】
【請求項１】
中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、一面部位がスプール３０の他の面部位と結合される操作フィル４０と、中央部位には操作フィル４０の他側部位が挿入される据え置き溝５２が形成されるが角部位が上部ケース１０の角部位と結合される下部ケース５０が具備される草刈り機用ナイロンカッターアセンブリーとして、前記スプール３０の巻取面は中央部位に設けられる分離板３４によって第１巻取面３３０と第２巻取面３５０で上下分離されて、第１巻取面３３０には相互対向する第１貫通孔３３が形成され、第２巻取面３５０には第１貫通孔３３と垂直でΔｈ間隔を有して直交する第２貫通孔３５が相互対向して形成され、前記上部ケース１０と下部ケース５０との結合部位には第１、２ブッシング６２、６６それぞれが設置されるが、第１ブッシング６２は左右一対でなされてスプール３０の第１貫通孔３３それぞれと対向して設置され、第２ブッシング６６は左右一対でなされてスプール３０の第２貫通孔３５それぞれと対向するが第１ブッシング６２に直交しながら設置され、一定長さを有する第１ナイロンカッター(Ｎ１)の中央部位が第１貫通孔３３に位置した状態で第１巻取面３３０に複数回で巻取された後第１ナイロンカッター(Ｎ１)の両端部位は第１ブッシング６２の第１引き出し溝６３を通じて外部で一定長さが露出して、一定長さを有する第２ナイロンカッター(Ｎ２)の中央部位が第２貫通孔３５に位置した状態で第２巻取面３５０に複数回で巻取された後第２ナイロンカッター(Ｎ２)の両端部位は第２ブッシング６６の第２引き出し溝６７を通じて外部で一定長さが露出する
ことを特徴とする草刈り機用４ラインナイロンカッターアセンブリー。
【請求項２】
中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、中央部位には据え置き溝５２が形成されて角部位が上部ケース１０の角部位と結合される下部ケース５０、角部位には下部ケース５０の据え置き溝５２内面と密着される折曲段４３が形成されて中央部位には据え置き溝５２を通じて外部に露出される円盤４５が形成される密閉円盤４１が具備される草刈り機用ナイロンカッターアセンブリーであり、前記スプール３０の巻取面は中央部位に設けられる分離板３４によって第１巻取面３３０と第２巻取面３５０に上下分離して、第１巻取面３３０には相互対向する位置に第１巻取面３３０と等しい曲率をなす第１係止段３１２、３１４が形成され、第２巻取面３５０には第１係止段３１２、３１４と直交する第２係止段３６２、３６４が相互対向して第２巻取面３５０と等しい曲率をなして形成され、前記上部ケース１０と下部ケース５０結合部位には第１、２ブッシング６２、６６それぞれが設置されるが、第１ブッシング６２は左右一対でなされてスプール３０の第１係止段３１２、３１４それぞれと対向して設置され、第２ブッシング６６は左右一対でなされてスプール３０の第２係止段３６２、３６４それぞれと対向するが相互対向する第１ブッシング６２に直交しながら設置され、一定長さを有する第１ナイロンカッター(Ｎ１)を１/２で折った状態で畳まれた部分を第１係止段３１２、３１４に固定した後第１巻取面３３０に複数回で巻取された第１ナイロンカッター(Ｎ１)の両端部位が第１ブッシング６２の第１引き出し溝６３を通じて外部に一定長さが露出されて、一定長さを有する第２ナイロンカッター(Ｎ２)を１/２で折った状態で畳まれた部分を第２係止段３６２、３６４に固定した後第２巻取面３５０に複数回で巻取された第２ナイロンカッター(Ｎ２)の両端部位が第２ブッシング６６の第２引き出し溝６７を通じて外部に一定長さが露出される
ことを特徴とする草刈り機用４ラインナイロンカッターアセンブリー。
【請求項３】
中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、中央部位には据え置き溝５２が形成されて角部位が上部ケース１０の角部位と結合される下部ケース５０、角部位には下部ケース５０の据え置き溝５２内面と密着される折曲段４３が形成されて中央部位には据え置き溝５２を通じて外部に露出される円盤４５が形成される密閉円盤４１が具備される草刈り機用ナイロンカッターアセンブリーとして、前記スプール３０の巻取面は中央部位に設けられる分離板３４によって第１巻取面３３０と第２巻取面３５０で上下分離して、第１巻取面３３０には相互対向する位置に第１巻取面３３０から円周方向に一定垂直高さで突出される第１突出段３１６が形成され、第２巻取面３５０には第１突出段３１６と直交する第２突出段３６６が相互対向して第２巻取面３５０から円周方向に一定垂直高さで突出形成され、前記上部ケース１０と下部ケース５０結合部位には第１、２ブッシング６２、６６それぞれが設置されるが、第１ブッシング６２は左右一対でなされてスプール３０の第１突出段３１６それぞれと対向して設置され、第２ブッシング６６は左右一対でなされてスプール３０の第２突出段３６６それぞれと対向するが相互対向する第１ブッシング６２に直交しながら設置され、一定長さを有する第１ナイロンカッター(Ｎ１)を１/２で折った状態で畳まれた部分を第１突出段３１６に固定した後第１巻取面３３０に複数回で巻取された第１ナイロンカッター(Ｎ１)の両端部位が第１ブッシング６２の第１引き出し溝６３を通じて外部に一定長さが露出されて、一定長さを有する第２ナイロンカッター(Ｎ２)を１/２で折った状態で畳まれた部分を第２突出段３６６に固定した後第２巻取面３５０に複数回で巻取された第２ナイロンカッター(Ｎ２)の両端部位が第２ブッシング６６の第２引き出し溝６７を通じて外部に一定長さが露出される
ことを特徴とする草刈り機用４ラインナイロンカッターアセンブリー。
【請求項４】
中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、中央部位には据え置き溝５２が形成されて角部位が上部ケース１０の角部位と結合される下部ケース５０、角部位には下部ケース５０の据え置き溝５２内面と密着される折曲段４３が形成されて中央部位には据え置き溝５２を通じて外部に露出される円盤４５が形成される密閉円盤４１が具備される草刈り機用ナイロンカッターアセンブリーであり、前記スプール３０の巻取面は中央部位に設けられる分離板３４によって第１巻取面３３０と第２巻取面３５０で上下分離して、前記分離板３４の上下それぞれで一定距離が離隔された位置には分離板３４と対向する上板３２及び下板３８それぞれが設けられて、上板３２には相互の間に一定間隔で離隔されて複数個の第１係止掛けがね３１８が円周方向に形成され、下板３８には相互の間に一定間隔で離隔されて複数個の第２係止掛けがね３６８が円周方向に形成され、前記上部ケース１０と下部ケース５０との結合部位には第１、２ブッシング６２、６６それぞれが設置されるが、第１ブッシング６２は左右一対でなされてスプール３０の第１係止掛けがね３１８それぞれと対向して設置され、第２ブッシング６６は左右一対でなされてスプール３０の第２係止掛けがね３６８それぞれと対向するが、相互対向する第１ブッシング６２に直交しながら設置され、一定長さを有する第１ナイロンカッター(Ｎ１)を１/２で折った状態で畳まれた部分を第１係止掛けがね３１８に固定した後第１巻取面３３０に複数回で巻取された第１ナイロンカッター(Ｎ１)の両端部位が第１ブッシング６２の第１引き出し溝６３を通じて外部に一定長さが露出されて、一定長さを有する第２ナイロンカッター(Ｎ２)を１/２で折った状態で畳まれた部分を第２係止掛けがね３６８に固定した後第２巻取面３５０に複数回で巻取された第２ナイロンカッター(Ｎ２)の両端部位が第２ブッシング６６の第２引き出し溝６７を通じて外部に一定長さが露出される
ことを特徴とする草刈り機用４ラインナイロンカッターアセンブリー。
【請求項５】
前記スプール３０の内部に、十字状に交差する空洞を形成するガイド壁３８が備わり、その空洞によって、相互に対向する第１、２貫通孔３３、３５がそれぞれ連結される
請求項１に記載の草刈り機用４ラインナイロンカッターアセンブリー。
【請求項６】
前記スプール３０の第１、２巻取面３３０、３５０それぞれには相互の間に一定間隔で離隔されて突出される複数個の第１、２間隔調節段３３２、３５２が形成される
請求項５に記載の草刈り機用４ラインナイロンカッターアセンブリー。
【請求項７】
前記第１ブッシング６２の第１引き出し溝６３は三角形状でなされて、前記第２ブッシング６６の第２引き出し溝６７は逆三角形状でなされる
請求項１ないし４のいずれかに記載の草刈り機用４ラインナイロンカッターアセンブリー。
【発明の詳細な説明】
【技術分野】
【０００１】
本発明は、草刈り機用ナイロンカッターアセンブリーに関するものであり、より具体的には、装置を分解しなくてナイロンカッターを容易に巻取させることが可能なことはもちろん、お互いに直交する４ラインのナイロンカッターを作業本体から適切に引き出しさせて非常に効率的に雑草などを除去することができる草刈り機用ナイロンカッターアセンブリーに関するものである。
【背景技術】
【０００２】
草刈り機は燃料によって駆動されるエンジンの回転力をカッターに伝達して雑草や雑木などを除去する装置である。草刈り機において雑草などを直接的に除去するカッター手段としては、金属刃やナイロン材質でなされるカッターが知られているが、近来安全事故の危険性によってナイロンカッターの使用が徐徐に拡がっている。
【０００３】
ナイロンカッターは図２６のように、草刈り機１の端部に回転可能に設けられるアセンブリー１００に内蔵されて、草刈り機１のエンジンから発生される動力が回転軸２を通じてアセンブリー１００に伝達されれば、両側端部がアセンブリー１００の引き出し溝２７０を通じて外部に一定長さが露出された状態でナイロンカッターがアセンブリーと共に高速で回転して周辺の雑草などを除去するようになる。
【０００４】
一方、ナイロンカッターはアセンブリー内部のスプールに一定長さ程度ずつ巻取されていながら、使用状態によって少しずつ解いて使用するようになるが、従来ナイロンカッターアセンブリー大部分は、草刈り機の回転軸が図２７に開示されたようにスプール２２の中央部位を貫通して連結されるという点で、スプール２２に巻取されたナイロンカッターがすべて消耗されれば、アセンブリーからスプールを分離した後、ナイロンカッターをスプールに巻取して再使用しなければならない煩わしさがあった。
【０００５】
このような問題点を解決するための方便で、図２８のようにスプール３００に貫通路３６０を形成し、この貫通路３６０を通じてナイロンカッターを挿入した状態でスプールを繰り返し回転させることによってナイロンカッターをスプールに巻取させる方式らが提案された。このような方式らはアセンブリーからスプールを分離しなくてもナイロンカッターを補うことができるという点で便利性はあるが、図面のように貫通路３６０が草刈り機の回転軸を迂回する方式で形成されなければならないという点で製作自体が難しい短所があった。
【発明の開示】
【発明が解決しようとする課題】
【０００６】
本発明は、このような従来技術の問題点を解決するために提案されたものであり、本発明の目的はアセンブリーの分解なしにナイロンカッターをスプールに容易に巻取することができるだけでなく、お互いに直交する４ラインのナイロンカッターを適切に引き出して使用することができるナイロンカッターアセンブリーを提供することにある。
【課題を解決するための手段】
【０００７】
本発明は、このような目的を達成するために、中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、一面部位がスプール３０の他の面部位と結合される操作フィル４０と、中央部位には操作フィル４０の他側部位が挿入される据え置き溝５２が形成されるが角部位が上部ケース１０の角部位と結合される下部ケース５０が具備される草刈り機用ナイロンカッターアセンブリーとして、前記スプール３０の巻取面は中央部位に設けられる分離板３４によって第１巻取面３３０と第２巻取面３５０に上下分離して、第１巻取面３３０には相互対向する第１貫通孔３３が形成され、第２巻取面３５０には第１貫通孔３３と垂直でΔｈ間隔を有して直交する第２貫通孔３５が相互対向して形成され、前記上部ケース１０と下部ケース５０結合部位には第１、２ブッシング６２、６６それぞれが設置されるが、第１ブッシング６２は左右一対でなされてスプール３０の第１貫通孔３３それぞれと対向して設置され、第２ブッシング６６は左右一対でなされてスプール３０の第２貫通孔３５それぞれと対向するが第１ブッシング６２に直交しながら設置され、一定長さを有する第１ナイロンカッター(Ｎ１)の中央部位が第１貫通孔３３に位置した状態で第１巻取面３３０に複数回で巻取された後第１ナイロンカッター(Ｎ１)の両端部位は第１ブッシング６２の第１引き出し溝６３を通じて外部に一定長さが露出して、一定長さを有する第２ナイロンカッター(Ｎ２)の中央部位が第２貫通孔３５に位置した状態で第２巻取面３５０に複数回で巻取された後第２ナイロンカッター(Ｎ２)の両端部位は第２ブッシング６６の第２引き出し溝６７を通じて外部に一定長さが露出されることをその技術的特徴とする。
【０００８】
本発明の他の技術的特徴は、中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、中央部位には据え置き溝５２が形成されて角部位が上部ケース１０の角部位と結合される下部ケース５０、角部位には下部ケース５０の据え置き溝５２内面と密着される折曲段４３が形成されて中央部位には据え置き溝５２を通じて外部に露出される円盤４５が形成される密閉円盤４１が具備される草刈り機用ナイロンカッターアセンブリーとして、前記スプール３０の巻取面は中央部位に設けられる分離板３４によって第１巻取面３３０と第２巻取面３５０で上下分離して、第１巻取面３３０には相互対向する位置に第１巻取面３３０と等しい曲率をなす第１係止段３１２、３１４が形成され、第２巻取面３５０には第１係止段３１２、３１４と直交する第２係止段３６２、３６４が相互対向して第２巻取面３５０と等しい曲率を成して形成され、前記上部ケース１０と下部ケース５０結合部位には第１、２ブッシング６２、６６それぞれが設置されるが、第１ブッシング６２は左右一対でなされてスプール３０の第１係止段３１２、３１４それぞれと対向して設置され、第２ブッシング６６は左右一対でなされてスプール３０の第２係止段３６２、３６４それぞれと対向するが相互対向する第１ブッシング６２に直交しながら設置され、一定長さを有する第１ナイロンカッター(Ｎ１)を１/２で折った状態で畳まれた部分を第１係止段３１２、３１４に固定した後第１巻取面３３０に複数回で巻取された第１ナイロンカッター(Ｎ１)の両端部位が第１ブッシング６２の第１引き出し溝６３を通じて外部に一定長さが露出されて、一定長さを有する第２ナイロンカッター(Ｎ２)を１/２で折った状態で畳まれた部分を第２係止段３６２、３６４に固定した後第２巻取面３５０に複数回で巻取された第２ナイロンカッター(Ｎ２)の両端部位が第２ブッシング６６の第２引き出し溝６７を通じて外部に一定長さが露出することにある。
【０００９】
本発明のまた他の技術的特徴は、中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、中央部位には据え置き溝５２が形成されて角部位が上部ケース１０の角部位と結合される下部ケース５０、角部位には下部ケース５０の据え置き溝５２内面と密着される折曲段４３が形成されて中央部位には据え置き溝５２を通じて外部に露出される円盤４５が形成される密閉円盤４１が具備される草刈り機用ナイロンカッターアセンブリーであり、前記スプール３０の巻取面は中央部位に設けられる分離板３４によって第１巻取面３３０と第２巻取面３５０で上下分離され、第１巻取面３３０には相互対向する位置に第１巻取面３３０から円周方向に一定垂直高さで突出される第１突出段３１６が形成され、第２巻取面３５０には第１突出段３１６と直交する第２突出段３６６が相互対向して第２巻取面３５０から円周方向に一定垂直高さで突出形成され、前記上部ケース１０と下部ケース５０結合部位には第１、２ブッシング６２、６６それぞれが設置されるが、第１ブッシング６２は左右一対でなされてスプール３０の第１突出段３１６それぞれと対向して設置され、第２ブッシング６６は左右一対でなされてスプール３０の第２突出段３６６それぞれと対向するが相互対向する第１ブッシング６２に直交しながら設置され、一定長さを有する第１ナイロンカッター(Ｎ１)を１/２で折った状態で畳まれた部分を第１突出段３１６に固定した後第１巻取面３３０に複数回で巻取された第１ナイロンカッター(Ｎ１)の両端部位が第１ブッシング６２の第１引き出し溝６３を通じて外部に一定長さが露出され、一定長さを有する第２ナイロンカッター(Ｎ２)を１/２で折った状態で畳まれた部分を第２突出段３６６に固定した後第２巻取面３５０に複数回で巻取された第２ナイロンカッター(Ｎ２)の両端部位が第２ブッシング６６の第２引き出し溝６７を通じて外部で一定長さが露出することにある。
【００１０】
本発明のまた他の技術的特徴は、中央部位にインサート溝１２が設けられる上部ケース１０と、一面部位が上部ケース１０中央部位内面と密着される弾性体２０と、ナイロンカッターが巻取される面が具備されて一面部位が弾性体２０の他の面部位を加圧して密着されるスプール３０と、中央部位には据え置き溝５２が形成されて角部位が上部ケース１０の角部位と結合される下部ケース５０、角部位には下部ケース５０の据え置き溝５２内面と密着される折曲段４３が形成されて中央部位には据え置き溝５２を通じて外部に露出される円盤４５が形成される密閉円盤４１が具備される草刈り機用ナイロンカッターアセンブリーであり、前記スプール３０の巻取面は中央部位に設けられる分離板３４によって第１巻取面３３０と第２巻取面３５０で上下分離して、前記分離板３４の上下刻一刻一定距離離隔された位置には分離板３４と対向する上板３２及び下板３８それぞれが設けられて、上板３２には相互の間に一定間隔で離隔されて複数個の第１係止掛けがね３１８が円周方向に形成され、下板３８には相互の間に一定間隔で離隔されて複数個の第２係止掛けがね３６８が円周方向に形成され、前記上部ケース１０と下部ケース５０結合部位には第１、２ブッシング６２、６６それぞれが設置されるが、第１ブッシング６２は左右一対でなされてスプール３０の第１係止掛けがね３１８それぞれと対向して設置され、第２ブッシング６６は左右一対でなされてスプール３０の第２係止掛けがね３６８それぞれと対向するが相互対向する第１ブッシング６２に直交しながら設置され、一定長さを有する第１ナイロンカッター(Ｎ１)を１/２で折った状態で畳まれた部分を第１係止掛けがね３１８に固定した後第１巻取面３３０に複数回で巻取された第１ナイロンカッター(Ｎ１)の両端部位が第１ブッシング６２の第１引き出し溝６３を通じて外部で一定長さが露出して、一定長さを有する第２ナイロンカッター(Ｎ２)を１/２で折った状態で畳まれた部分を第２係止掛けがね３６８に固定した後第２巻取面３５０に複数回で巻取された第２ナイロンカッター(Ｎ２)の両端部位が第２ブッシング６６の第２引き出し溝６７を通じて外部で一定長さが露出されることにある。
前記スプール３０の内部には内部空間が┼構造でなされて相互対向する第１、２貫通孔３３、３５それぞれを連結するガイド壁３８が形成されることができる。
【００１１】
この時、前記スプール３０の第１、２巻取面３３０、３５０それぞれには相互の間に一定間隔で離隔されて突出される複数個の第１、２間隔調節段３３２、３５２が形成されることができる。
【００１２】
また、前記第１ブッシング６２の第１引き出し溝６３は三角形状でなされて、前記第２ブッシング６６の第２引き出し溝６７は逆三角形状でなされることができる。
【発明の効果】
【００１３】
本発明は、スプールの中心軸部位でお互いに直交する貫通路を形成するが、これら各貫通路らはスプールにおいて上下で分離区画された巻取面と連結されるように構成することで、一定長さを有する２個のナイロンカッターをスプールに巻取した状態でこれらそれぞれの両側端部すべてを一定長さ程度ずつ引き出して４個のナイロンカッターを利用して作業を遂行することが可能である。
【００１４】
また、本発明は、スプールの巻取面に間隔調節段を形成してナイロンカッターが巻取面と接触する現象を防止することで熱伝逹によるナイロンカッターが溶融される現象を基本的に防止することができるし、ブッシングの引き出し溝形状をスプールに巻取されるナイロンカッターの位置によって三角形及び逆三角形構造でお互いに異なるように構成することで、一定角度傾いた状態で引き出しされて高速回転するナイロンカッターが破断される現象を著しく減少させることができるようになる。
【図面の簡単な説明】
【００１５】
【図１】本発明による一例として草刈り機用ナイロンカッターアセンブリーの概略的な上側外観構成図
【図２】本発明による一例として草刈り機用ナイロンカッターアセンブリーの概略的な下側外観構成図
【図３】本発明による一例として草刈り機用ナイロンカッターアセンブリーの概略的な分解構成図
【図４】は本発明による一例として草刈り機用ナイロンカッターアセンブリーにおいて上部ケースの概略的な構成図
【図５】本発明による一例として草刈り機用ナイロンカッターアセンブリーにおいてスプールの概略的な構成図
【図６】本発明による一例として草刈り機用ナイロンカッターアセンブリーにおいてスプールの概略的な構成図
【図７】本発明による一例として草刈り機用ナイロンカッターアセンブリーにおいてスプールの概略的な構成図
【図８】本発明による一例として草刈り機用ナイロンカッターアセンブリーにおいてスプールの概略的な構成図
【図９】本発明による一例として草刈り機用ナイロンカッターアセンブリーにおいてスプールの概略的な構成図
【図１０】本発明による一例として草刈り機用ナイロンカッターアセンブリーにおいて操作フィルの概略的な構成図
【図１１】本発明による一例として草刈り機用ナイロンカッターアセンブリーにおいて操作フィルの概略的な構成図
【図１２】本発明による一例として草刈り機用ナイロンカッターアセンブリーにおいて下部ケースの概略的な構成図
【図１３】は本発明による一例として草刈り機用ナイロンカッターアセンブリーの概略的な断面構成図
【図１４】は本発明による他の例として草刈り機用ナイロンカッターアセンブリーの概略的な分解構成図
【図１５】本発明による他の例として草刈り機用ナイロンカッターアセンブリーにおいてスプールの多様な構成図
【図１６】本発明による他の例として草刈り機用ナイロンカッターアセンブリーにおいてスプールの多様な構成図
【図１７】本発明による他の例として草刈り機用ナイロンカッターアセンブリーにおいてスプールの多様な構成図
【図１８】本発明による他の例として草刈り機用ナイロンカッターアセンブリーにおいてスプールの多様な構成図
【図１９】図１５においてナイロンカッターが装着された概略的な構成図
【図２０】図１６においてナイロンカッターが装着された概略的な構成図
【図２１】図１７においてナイロンカッターが装着された概略的な構成図
【図２２】図１８においてナイロンカッターが装着された概略的な構成図
【図２３】本発明による他の例として草刈り機用ナイロンカッターアセンブリーの概略的な断面構成図
【図２４】本発明による他の例として草刈り機用ナイロンカッターアセンブリーの概略的な上側外観構成図及び下側外観構成図
【図２５】本発明による他の例として草刈り機用ナイロンカッターアセンブリーの概略的な上側外観構成図及び下側外観構成図
【図２６】従来一般的なナイロンカッター草刈り機の概略的な構成図
【図２７】従来ナイロンカッターアセンブリーにおいてスプールの概略的な構成図
【図２８】従来ナイロンカッターアセンブリーにおいてスプールの概略的な構成図
【発明を実施するための形態】
【００１６】
本発明による望ましい実施例を添付された図面を参照して詳細に見れば次のようであるが、本発明の実施例を上述するにおいて本発明の技術的特徴と直接的な関連性がないか、または本発明が属する技術分野で通常の知識を有した者に自明な事項に対してはその詳細な説明を略することにする。
【００１７】
図１及び図２それぞれは、本発明による草刈り機用ナイロンカッターアセンブリーの概略的な上側及び下側外観構成図であり、図３は本発明による草刈り機用ナイロンカッターアセンブリーの概略的な分解構成図である。各図面のように本発明は上部ケース１０、弾性体２０、スプール３０、操作フィル４０、下部ケース５０、第１、２ブッシング６２、６６を含んでなされる。以下、これら各構成を具体的に説明する。
【００１８】
上部ケース１０はアセンブリーの上側をなす部分であり、下側部位は開口されて上面中央部位にはインサート溝１２が設けられる。インサート溝１２は図２６に開示されているように草刈り機の回転軸が結合されるインサート１３が装着される部分である。上部ケース１０の下側角部位に沿っては複数個の上部ブッシング溝１４が形成される。各上部ブッシング溝１４は９０゜間隔を置いて形成されることが望ましい。
【００１９】
また、上部ケース１０内部には図４のように、相互の間に一定間隔で離隔されて形成される複数個の上部係止段１１が設けられる。上部係止段１１はスプール３０が一定角度程度ずつ回転をする時ストッパーとして機能する。図面符号１６は第１挿入段であり、図面符号１８は第１挿入溝である。
【００２０】
弾性体２０は操作フィル４０によって支持されるスプール３０を一定力で加圧する手段であり、その一面部位が上部ケース１０中央部位内面と密着される。弾性体２０は図４のように上部ケース１０の内面で一定垂直高さで突出されるインサート溝１２の外面を囲みながら設置されることができる。
【００２１】
スプール３０はナイロンカッターが巻取される部分であり、図３及び図１３それぞれのように一面部位が弾性体２０の他の面部位を加圧して密着される。本発明によるスプール３０の巻取面は第１、２巻取面３３０、３５０で分離構成される特徴があり、これらそれぞれには第１、２貫通孔３３、３５が形成される特徴がある。
【００２２】
第１、２巻取面３３０、３５０はスプール３０の中央部位に設けられる分離板３４によって上下で区画される。分離板３４は図７及び図８それぞれのように、スプール３０の上面及び下面に設けられて巻取面を形成する上板３２及び下板３６の中間部位に設けられることが望ましい。
【００２３】
この時、第１巻取面３３０には相互対向する支点に第１貫通孔３３が形成され、第２巻取面３５０には相互対向する支点に第２貫通孔３５が形成される。第２貫通孔３５は図面のように第１貫通孔３３と垂直でΔｈ間隔を有して形成され、お互いに直交する支点に形成される。
【００２４】
第１、２貫通孔３３、３５それぞれを相互対向する支点に形成するが、これらそれぞれがお互いに直交した状態でなすようにした理由は、図９のように第１、２ナイロンカッター(Ｎ１、Ｎ２)をスプール３０に共に挿入した状態で、第１、２ナイロンカッター(Ｎ１、Ｎ２)それぞれが第１、２巻取面３３０、３５０それぞれに沿って同時に巻取されるようにするためである。また、第１、２貫通孔３３、３５それぞれを垂直でΔｈ程度間隔を置いて形成した理由は、巻取過程でお互いに影響を受けないようにするためである。
【００２５】
また、スプール３０の内部にはガイド壁３８が設けられることもできる。ガイド壁３８は相互対向する第１、２貫通孔３３、３５それぞれを連結する通路として、図５及び図６それぞれのように内部空間が┼構造をなすように形成されることが望ましい。ガイド壁３８が設けられれば、一側の第１、２貫通孔それぞれを通じて挿入される第１、２ナイロンカッターは非常に容易に他側の第１、２貫通孔を通じて引き出しされることができる。
【００２６】
図面符号３１は上板３２に設けられる上部突起として、上部ケース１０の上部係止段１１に対応される。すなわち、スプール３０が一定角度程度ずつ強制回転すれば、各上部突起３２が上部係止段１１と密着されることによって回転された状態を維持するようになる。図４の弾性体２０他の面部位が図５に開示されたガイド壁３８の上面部位と密着される。図面符号３９は支持壁として後述する。
【００２７】
一方、本発明は第１、２巻取面３３０、３５０それぞれに複数個の第１、２間隔調節段３３２、３５２が設けられる場合を排除しない。第１、２間隔調節段３３２、３５２は相互の間に一定間隔で離隔されて突出される形状でなされることができる。第１、２巻取面３３０、３５０それぞれにナイロンカッターが巻取される場合、第１、２間隔調節段３３２、３５２の存在によってナイロンカッターは第１、２巻取面３３０、３５０それぞれと密着されないで一定間隔で離隔された状態で巻取される。
【００２８】
草刈り機の回転軸が上部ケース１０と軸連結されて回転力が伝達されれば、スプール３０は上部ケース１０と共に高速で回転するようになって、長期間高速回転状態が維持されれば高速回転による熱が回転軸からスプールに伝達されるによってスプールに巻取されているナイロンカッターが溶融されて使用することができない問題が発生することもできる。それで、本発明のようにナイロンカッターがスプールの巻取面から一定間隔で離隔された状態を維持するようになれば、ナイロンカッターが溶融される現象が著しく減少させることができるようになる。
【００２９】
操作フィル４０はスプール３０を人為的に回転させる手段で、その一面部位はスプール３０の他の面部位と結合される。操作フィル４０の一側部位には図１０のように覆い壁４２が設けられて、操作フィル４０の他側部位には図１１のように加圧部４８が設けられる。
【００３０】
覆い壁４２はスプール３０のガイド壁３８下面部位を蜜閉する手段で、ガイド壁３８の空間構造に対応してその断面が┼構造で形成されることが望ましい。図面符号４４は覆い壁４２の周りに沿って形成される挿入壁であり、挿入壁４４の各外面はスプール３０の下板３６に設けられる支持壁３９の内面と密着される。
【００３１】
加圧部４８は使用者の外力が加えられる部分で操作フィル４０の他側部位中央に設けられて一定垂直高さで突出される。図面符号４６は下部突起として、相互の間に一定間隔で離隔されて突出される複数個でなされる。下部突起４６は下部ケース５０の下部係止段５１に対応されるが、これは後述する。
【００３２】
下部ケース５０はアセンブリーの下側をなす部分であり、図１２のように上側部位は開口されて中央部位には据え置き溝５２が形成される。据え置き溝５２は操作フィル４０の他側部位に形成される加圧部４８が挿入されて据え置きされる部分である。上部ケース１０と等しく、下部ケース５０の上側角部位に沿っては複数個の下部ブッシング溝５４が形成される。各下部ブッシング溝５４は上部ブッシング溝１４と対応される支点に形成されることが望ましい。
【００３３】
下部ケース５０内部には図面のように、相互の間に一定間隔で離隔されて形成される複数個の下部係止段５１が設けられる。下部係止段５１は操作フィル４０が一定角度程度ずつ回転をする時ストッパーとして機能する。図面符号５６は上部ケース１０の第１挿入溝１８に挿入される第２挿入段であり、図面符号５８は上部ケース１０の第１挿入段１６が挿入される第２挿入溝である。
【００３４】
第１ブッシング６２は相互対向する左右一対でなされて、スプール３０の形成される第１貫通孔３３と対向した状態で上、下部ブッシング溝１４、５４それぞれに結合される。第２ブッシング６６も相互対向する左右一対でなされて、スプール３０に形成される第２貫通孔３５と対向した状態で上、下部ブッシング溝１４、５４それぞれに結合される。これによって、第１、２ブッシング６２、６６それぞれは相互直交するようになる。
【００３５】
第１ブッシング６２が第１貫通孔３３と対向した状態で設置され、第２ブッシング６６が第２貫通孔３５と対向した状態で設置されれば、図１及び図２それぞれのようにスプール３０の第１巻取面３３０に巻取された第１ナイロンカッター(Ｎ１)の両側端部は第１ブッシング６２を通じて外部に一定長さ程度露出して、スプール３０の第２巻取面３５０に巻取された第２ナイロンカッター(Ｎ２)の両側端部は第２ブッシング６６を通じて外部に一定長さ程度露出される。
【００３６】
すなわち、本発明のようにスプールの巻取面を上下で区切って第１、２巻取面で分離して、これら各巻取面にはお互いに直交する貫通孔を形成して、これら各貫通孔らがお互いに直交するブッシングと対向した状態をなすように構成するようになれば、アセンブリーを分解しなくて図９のように一定長さを有する２個のナイロンカッターをお互いに直交した状態でスプールの貫通孔に挿入した後操作フィルを回転させることによって各ナイロンカッターを第１、２巻取面に分離巻取することができるし、ナイロンカッターらは第１、２巻取面に分離巻取された状態で９０゜の等間隔を維持してアセンブリーの外面を通じて一定長さが露出して作業に利用されることができる。
【００３７】
一方、第１、２貫通孔３３、３５それぞれが垂直でΔｈ間隔を有してスプール３０に形成され、第１、２ナイロンカッター(Ｎ１、Ｎ２)それぞれが第１、２巻取面３３０、３５０に分離巻取された状態で両側端部が第１、２ブッシング６２、６６を通じてアセンブリー外部に露出されれば図１３のように、第１ナイロンカッター(Ｎ１)の両側端部部位は下方に一定角度傾くようになって、第２ナイロンカッター(Ｎ２)の両側端部部位は上方に一定角度傾くようになる。
【００３８】
このような状態でアセンブリーが高速回転をするようになれば、第１、２ブッシングの各引き出し溝内部に位置する第１、２ナイロンカッター部位は相変らず一定角度傾いた状態を維持するに比べて、第１、２ブッシングの各引き出し溝外部に位置する第１、２ナイロンカッター部位は強い遠心力の作用で徐徐に水平でひろがるようになることによって長期間作業がつながる場合第１、２ブッシング部位のナイロンカッターが破断されることもある。
【００３９】
このために、本発明は図４のように第１貫通孔３３と対向する第１ブッシング６２の第１引き出し溝６３は三角形状で形成して、第２貫通孔３５と対向する第２ブッシング６６の第２引き出し溝６７は逆三角形状で形成する場合を提案する。すなわち、それぞれ下方及び上方で一定角度傾いて引き出しされる各ナイロンカッターらが各ブッシングの引き出し溝部位で上下及び左右で一定間隔流動することができる高さと幅を提供することで作業過程でのナイロンカッター破断現象を著しく減少させることができるようになるものである。
【００４０】
一方、図１４は本発明による他の例として草刈り機用ナイロンカッターアセンブリーの概略的な分解構成図を見せてくれる。この例はスプール３０の具体的な構成、そして操作フィル４０の代りに密閉円盤４１が設けられるという点で前述した例と差がある。これらそれぞれを添付された図面を参照して説明する。
【００４１】
この例においてスプール３０は、図１５乃至図１８それぞれに開示されたもののように、ナイロンカッターの固定のための手段が第１、２係止段３１２、３６２/３１４、３６４、第１、２突出段３１６、３６６、第１、２係止掛けがね３１８、３６８でなされる特徴がある。
【００４２】
第１係止段３１２、３６２それぞれは、図１５及び図１６それぞれに開示されたもののように、第１巻取面３３０において左右対向する位置に形成され、第１巻取面３３０と等しい曲率をなす。この時、第１係止段は図１５のように水平方向で一定幅を有するか、または図１６のように垂直方向で一定高さを有する構成でなされることができる。
【００４３】
第２係止段３１４、３６４それぞれは第１係止段３１２、３６２それぞれと直交して、第２巻取面３５０において左右対向する位置に形成される。第２係止段３１４、３６４も第１係止段３１２、３６２それぞれと等しく第２巻取面３５０と等しい曲率をなして、水平方向に一定幅を有するか、または垂直方向で一定高さを有する構成も第１係止段の場合と大同小異である。
【００４４】
第１突出段３１６は図１７に開示されたもののように、第１巻取面３３０において左右対向する位置に形成され、第１巻取面３３０から円周方向に一定垂直高さ程度突出される。第１突出段３１６の端部はナイロンカッターの離脱を防止するためのフック構造でなされることができる。
【００４５】
第２突出段３６６は第１突出段３１６それぞれと直交して、第２巻取面３５０において左右対向する位置に形成される。第２突出段３６６は第２巻取面３５０から円周方向に一定垂直高さ程度突出され、その端部にはフック構造が形成されることができる。
【００４６】
第１係止掛けがね３１８は、図１８に開示されたもののように、分離板３４上側に一定間隔で離隔されて設けられる上板３２に形成され、相互の間に一定間隔で離隔される複数個でなされる。この時、第１係止掛けがね３１８は上板３２に形成される切開部３１９の間から円周方向に形成される特徴がある。
【００４７】
第２係止掛けがね３６８は分離板３４の下側に一定間隔で離隔されて設けられる下板３６に形成され、相互の間に一定間隔で離隔される複数個でなされる。この時、第２係止掛けがね３６８は下板３６に形成される切開部３６９の間から円周方向に形成される特徴があり、第２係止掛けがね３６８は第１係止掛けがね３１８それぞれと直角をなす位置に形成されることができる。
【００４８】
下部ケース５０は前述した例の場合と大同小異である。すなわち、上側部位は開口されて中央部位には据え置き溝５２が形成される。据え置き溝５２は後述する密閉円盤４１の円盤４５が挿入される部分である。また、下部ケース５０の上側角部位に沿っては複数個の下部ブッシング溝５４が形成され、これらそれぞれは上部ブッシング溝１４と対応される支点に形成されることが望ましい。
【００４９】
図面符号５６は上部ケース１０の第１挿入溝１８に挿入される第２挿入段であり、図面符号５８は上部ケース１０の第１挿入段１６が挿入される第２挿入溝である。第２挿入段５６及び第２挿入溝５８の具体的な形状が前述した例と微差があり、このような微差に対応して上部ケース１０の第１挿入溝１８及び第１挿入段１６それぞれの形状が、これに対応して変更されなければならないことは勿論である。
【００５０】
密閉円盤４１は下部ケース５０の中央部位を蜜閉して異物などがアセンブリー内部に流入されることを防止する。密閉円盤４１には折曲段４３及び円盤４５が形成される。
【００５１】
折曲段４３は密閉円盤４１の角部位に沿って環形で形成され、図２３に開示されたもののように下部ケース５０の据え置き溝５２内面と密着される。円盤４５は密閉円盤４１の中央部位に形成されて下部ケース５０の据え置き溝５２を通じて外部に露出される。
【００５２】
このようなそれぞれ他の構成のスプール３０にナイロンカッターを巻取する方法を説明する。先ず、一定長さを有する第１、２ナイロンカッター(Ｎ１、Ｎ２)を準備した後、これら第１、２ナイロンカッター(Ｎ１、Ｎ２)を１/２で折って、１/２で畳まれた第１、２ナイロンカッター(Ｎ１、Ｎ２)それぞれの畳まれた部分を図１９乃至図２２それぞれのように第１、２係止段３１２、３６２/３１４、３６４、第１、２突出段３１６、３６６、第１、２係止掛けがね３１８、３６８それぞれに固定する。
【００５３】
第１、２ナイロンカッター(Ｎ１、Ｎ２)それぞれの畳まれた部分が第１、２係止段３１２、３６２/３１４、３６４、第１、２突出段３１６、３６６、第１、２係止掛けがね３１８、３６８それぞれに固定されれば、図２３のように両端部位それぞれが一定長さ程度だけ残る程度に第１ナイロンカッター(Ｎ１)は第１巻取面３３０に複数回で巻取して、第２ナイロンカッター(Ｎ２)は第２巻取面３５０に複数回で巻取する。
【００５４】
第１、２ナイロンカッター(Ｎ１、Ｎ２)それぞれの両端部位が一定長さ程度残って第１、２巻取面３３０、３５０に巻取されれば、第１ナイロンカッター(Ｎ１)の両端部位は第１ブッシング６２の第１引き出し溝６３を通じて外部に一定長さで引き出しさせて、第２ナイロンカッター(Ｎ２)の両端部位は第２ブッシング６６の第２引き出し溝６７を通じて外部に一定長さで引き出しさせる。
【００５５】
図２４及び図２５それぞれは本発明によって第１、２ナイロンカッター(Ｎ１、Ｎ２)それぞれをスプール３０の第１、２巻取面３３０、３５０それぞれに複数回で巻取した後、一定長さの両端部位のみを第１、２ブッシング６２、６６を通じて外部に引き出しさせた概略的な構成が開示されている。
【００５６】
前記では本発明の望ましい実施例らに限定して説明したが、これは単に例示であるだけであり、本発明はこれに限定されないで多くの多様な方法で変更されて実施されることができるし、ひいては開示された技術的思想に基礎して別途の技術的特徴が付加されて実施されることができることは自明である。
【図１】
0006838759.tif 000002
【図２】
0006838759.tif 000003
【図３】
0006838759.tif 000004
【図４】
0006838759.tif 000005
【図５】
0006838759.tif 000006
【図６】
0006838759.tif 000007
【図７】
0006838759.tif 000008
【図８】
0006838759.tif 000009
【図９】
0006838759.tif 000010
【図１０】
0006838759.tif 000011
【図１１】
0006838759.tif 000012
【図１２】
0006838759.tif 000013
【図１３】
0006838759.tif 000014
【図１４】
0006838759.tif 000015
【図１５】
0006838759.tif 000016
【図１６】
0006838759.tif 000017
【図１７】
0006838759.tif 000018
【図１８】
0006838759.tif 000019
【図１９】
0006838759.tif 000020
【図２０】
0006838759.tif 000021
【図２１】
0006838759.tif 000022
【図２２】
0006838759.tif 000023
【図２３】
0006838759.tif 000024
【図２４】
0006838759.tif 000025
【図２５】
0006838759.tif 000026
【図２６】
0006838759.tif 000027
【図２７】
0006838759.tif 000028
【図２８】
0006838759.tif 000029